(57)【要約】【課題】スペースが狭い場所においても本体の両側にある側板の取付及び取外し作業が容易となるラックを提供する。【解決手段】互いに対向する平板状の上板部２並びに下板部３及び上板部２と下板部３の後端を連結する平板状の背板部４によりコ字状に形成され前面及び両側面が開放された本体１と、上板部２並びに下板部３の前端部において上板部２と下板部３の間を支える一対の支柱５と、本体１の前記前面及び両側面をそれぞれ覆う平板状の蓋体６及び２つの平板状の側板７ａ、７ｂにより構成されている。本体１の上板部２並びに下板部３及び背板部４の両側端部にそれぞれ溝１８を設けてあり、側板７ａ、７ｂをそれぞれこの溝１８に前方からスライド自在に嵌合することで、側板の取付及び取外し作業を容易にする。【選択図】        図１
2006303390.tif 000002
【特許請求の範囲】
【請求項１】
互いに対向する平板状の上板部並びに下板部及び上板部と下板部の後端を連結する平板状の背板部によりコ字状に形成され前面及び両側面が開放された本体と、上板部並びに下板部の前端部において上板部と下板部を支える一対の支柱と、本体の前記前面及び両側面をそれぞれ覆う平板状の蓋体及び側板とを備え、本体の上板部並びに下板部の両側端部にそれぞれ前後方向に溝を設け、側板をこの溝に前方からスライド自在に嵌合することを特徴とするラック。
【請求項２】
前記本体は、上板部並びに下板部及び背板部の両側端部において互いに近接する方向に折曲された立設片と、この立設片の先端部が内方向に折曲された折返片と、この折返片の先端部が立設片と並行に折曲された対向片とから成る折曲部を備え、この折曲部の内側には、上板部並びに下板部及び背板部から立設片にかけて当接状態で取着されるＬ字状の固定片と、この固定片の先端部が折返片に並行に折曲され、折返片よりも内方に延出した第２折返片と、この第２折返片の先端部が対向片と並行かつ対向片と対向する方向へ折曲された第２対向片とから成る補強部材が取着され、対向片と第２折返片と第２対向片とで構成される空間によって前記溝が形成されることを特徴とする請求項１記載のラック。
【請求項３】
前記蓋体は、その両側面において、両側から背面側へ折曲されて蓋体前面と並行する内在片を備え、前記側板は、その後端が背板部に当接した状態において前端が前記内在片よりも前記蓋体前面側に突出する大きさに形成され、前記内在片が前記側板の側面に当接されたことを特徴とする請求項１又は請求項２記載のラック。
【請求項４】
前記内在片の先端部を先端に向かって蓋体前面に近付く方向に傾斜させたことを特徴とする請求項３記載のラック。
【発明の詳細な説明】
【技術分野】
【０００１】
本発明は、電子機器を収納するラックに関するものである。
【背景技術】
【０００２】
従来のこの種のラックとして、特許文献１に示すものがある。従来例の分解斜視図を図７に示す。従来例のラックは、下板部材１０と、下板部材１０の前面両側から上面側に延出する両側部３０、４０を下板部材１０に対して並行な連結部５０で連結した略コ字状の前板部材２０と、下板部材１０の背面側に取着される背板部７０及びこの背板部７０の上端に連結されて下板部材１０と互いに対向する上板部８０を有した略Ｌ字状の上部背面部材６０と、この上部背面部材６０の上板部８０及び下板部材１０に取着されて上部背面部材６０及び前板部材２０の間で形成される側面側の空間を塞ぐ両側部材９０、１００と、下板部材１０及び前板部材２０の間で形成される前面側の空間を塞ぐ扉１１０とで構成され、上部背面部材６０及び両側部材９０、１００にそれぞれ電子機器への電源線及び制御線の電線挿通孔２１を設けている。ここで両側部材９０、１００は、上部背面部材６０の上板部８０の両側に形成された落とし込み片８１の引掛孔８２に両側部材９０、１００の上端部に設けられた引掛爪８３を引掛けるとともに、下板部材１０に設けられた立上片１０１に両側部材９０、１００の下端部をネジ止めすることによって取着されるため、両側部材９０、１００の下端部のネジを着脱するだけで両側部材９０、１００の取付及び取外しができ、組立作業が容易になるとともに、電子機器への制御線や電源線の接続作業の際は両側部材９０、１００のいずれかを着脱するだけで作業が行えるので、取付及び取外し作業を容易にしている。
【特許文献１】特開２０００−３４９４６８号公報
【発明の開示】
【発明が解決しようとする課題】
【０００３】
しかしながら上記従来例では、両側部材９０、１００の着脱を両側部材９０、１００の下端部と下板部材１０に設けられた立上片１０１とをネジ止めすることで行うため、本体の両側方向のスペースが狭い場所ではネジの取付及び取外し作業をし難く、したがって両側部材９０、１００の取付及び取外し作業が困難であった。
【０００４】
本発明は、上述の問題点に鑑みて為されたもので、スペースが狭い場所においても本体の両側にある側板の取付及び取外し作業が容易となるラックを提供することにある。
【課題を解決するための手段】
【０００５】
請求項１の発明は、上記目的を達成するために、互いに対向する平板状の上板部並びに下板部及び上板部と下板部の後端を連結する平板状の背板部によりコ字状に形成され前面及び両側面が開放された本体と、上板部並びに下板部の前端部において上板部と下板部を支える一対の支柱と、本体の前記前面及び両側面をそれぞれ覆う平板状の蓋体及び側板とを備えたラックであって、本体の上板部並びに下板部の両側端部にそれぞれ前後方向に溝を設け、側板をこの溝に前方からスライド自在に嵌合するようにしている。
【０００６】
請求項２の発明は、請求項１において、本体に上板部並びに下板部及び背板部の両側端部において互いに近接する方向に折曲された立設片と、この立設片の先端部が内方向に折曲された折返片と、この折返片の先端部が立設片と並行に折曲された対向片から成る折曲部を備え、この折曲部の内側には、上板部並びに下板部及び背板部から立設片にかけて当接状態で取着されるＬ字状の固定片と、この固定片の先端部が折返片に並行に折曲され、折返片よりも内方に延出した第２折返片と、この第２折返片の先端部が対向片と並行かつ対向片と対向する方向へ折曲された第２対向片から成る補強部材が取着され、対向片と第２折返片と第２対向片とで構成される空間によって溝を形成している。
【０００７】
請求項３の発明は、請求項１又は請求項２において、蓋体に、その両側面において、両側から背面側へ折曲されて蓋体前面と並行な内在片を備え、側板は、その後端が背板部に当接した状態において前端が内在片よりも蓋体前面側に突出する大きさに形成され、内在片が側板の側面に当接される構成にしている。
【０００８】
請求項４の発明は、請求項３において、内在片の先端部を徐々に蓋体前面に近付く方向に傾斜させている。
【発明の効果】
【０００９】
請求項１の発明によれば、本体の上板部並びに下板部の両側端部にそれぞれ前後方向に溝を設け、側板をこの溝に前方からスライドすることで嵌合させるため、側板を本体の両側方向外側から取付ける必要が無く、本体の両側方向のスペースが狭い場所での側板の取付作業が容易となる。
【００１０】
請求項２の発明によれば、補強部材が本体の上板部並びに下板部及び立設片にかけて当接状態で取着され、この補強部材と本体の折曲部とで構成される空間で溝を形成するため、側板から力が加わっても変形し難くなり、強固なものとなる。
【００１１】
請求項３の発明によれば、蓋体に設けられた内在片を側板の側面に当接させ、支柱の側面との間で側板を挟むことにより、側板が反り難くなる。
【００１２】
請求項４の発明によれば、蓋体に設けられた内在片の先端部を先端に向かって蓋体前面に近付く方向に傾斜させることで、蓋体を本体に取付けやすくなり、また側板が外側に反っている場合にも蓋体を側板に取着しやすくなる。
【発明を実施するための最良の形態】
【００１３】
以下図１〜図６を参照して本発明の実施形態を詳細に説明する。本実施形態のラックは、図１に示すように、互いに対向する平板状の上板部２並びに下板部３及び上板部２と下板部３の後端を連結する平板状の背板部４によりコ字状に形成され前面及び両側面が開放された本体１と、上板部２並びに下板部３の前端部において上板部２と下板部３を支える一対の支柱５と、本体１の前記前面及び両側面をそれぞれ覆う平板状の蓋体６及び２つの平板状の側板７ａ、７ｂにより構成されている。また上板部２並びに下板部３の両側端部にはそれぞれ前後方向に溝１８を設けてあり、側板７ａ、７ｂはそれぞれこの溝１８に前方からスライド自在に嵌合する。
【００１４】
上板部２並びに下板部３及び背板部４は金属板で構成されており、上板部２及び下板部３は同じ平板形状に構成されている。上板部２及び下板部３の前端部には、前端をコ字状に折曲して形成され、本体１の前面側の空間を塞ぐ蓋体６の上端部と下端部を支持するための蓋体支持部１３が、それぞれ幅方向にわたって設けられてある。
【００１５】
また上板部２及び下板部３には、図３に示すように、その両側端部において互いに近接する方向に折曲された立設片８ａと、この立設片８ａの先端部が内方向に折曲された折返片８ｂと、この折返片８ｂの先端部が立設片８ａと並行に折曲された対向片８ｃとから成る折曲部８がそれぞれ備えられており、これら折曲部８の内側には、上板部２及び下板部３から立設片８ａにかけて当接状態で取着されるＬ字状の固定片９ａと、この固定片９ａの先端部が折返片８ｂに並行に折曲され、折返片８ｂよりも内方に延出した第２折返片９ｂと、この第２折返片９ｂの先端部が対向片８ｃと並行かつ対向片８ｃと対向する方向へ折曲された第２対向片９ｃとから成る補強部材９が取着され、対向片８ｃと第２折返片９ｂと第２対向片９ｃとで構成される空間によって前記溝１８が形成される。
【００１６】
補強部材９が上板部２及び下板部３から立設片８ａにかけて当接状態でそれぞれ取着され、これら補強部材９と、上板部２及び下板部３の両側端部に設けられた折曲部８とでそれぞれ溝１８を形成するため、側板７ａ、７ｂをこれら溝１８にスライドさせる際に、側板７ａ、７ｂから力が加わっても変形し難くなり、強固なものとなる。
【００１７】
本体１の内部には、金属板を折曲してコ字状に形成され、電子機器１５（例えばハブ等のネットワーク機器）を取付けるための取付部材１２が備えられており、この取付部材１２を取付けるための２つの金属製の取付レール１１が、それぞれ幅方向にわたって背板部４の内面の上方と下方に取付けられている。取付部材１２は、これら取付レール１１に取付部材１２の背板部の上端と下端をネジ止めすることで取付けられる。
【００１８】
また本実施形態では、背板部４の両側端部においても上記折曲部８と補強部材９を上下方向に備えており、これらによって構成される背板部４の溝１８に側板７ａ、７ｂの後端部を嵌合することで、側板７ａ、７ｂを反り難くするとともにラックの密閉性を高める効果も得られる。
【００１９】
２本の支柱５は、金属製の上下方向に長い角筒形状で、下板部１の前方２隅にそれぞれ配置され、上板部２と下板部３を支持している。これら支柱５の外側の側面に側板７ａ、７ｂが当接され、溝１８とともに側板７ａ、７ｂを支持する。また支柱５の上方には、蓋体６を本体１の前面に取付けるための蓋体取付部１４がそれぞれネジ止めされている。蓋体取付部１４は金属板をコ字状に折曲したもので、その一端にネジ穴を設けて支柱５にネジ止めしてある。ネジ穴を設けた面と対向する面の中央には、長方形状に切り取られた取付孔１４ａが設けられている。
【００２０】
蓋体６は金属板で構成され、その前面の上方及び下方には、電子機器１５が発する熱を逃がすための通気孔６ａがそれぞれ幅方向にわたって設けられている。通気孔６ａは、それぞれ縦長のスリットと横長のスリットを段々に組み合わせることで構成されている。上方の通気孔６ａの両側端部の直下には、蓋体６を本体１の前面に取着するためのロック機構部１９を挿通させる窓孔６ｂがそれぞれ設けられてある。このロック機構部１９は、前記蓋体取付部１４に設けられた取付孔１４ａと係合する係合部１９ａと、係合部１９ａと連動するロック解除レバー１９ｂと、係合部１９ａを収納するためのケース１９ｃとで構成されている。
【００２１】
係合部１９ａは、取付孔１４ａの１辺に沿うように傾斜面が設けられた平面視において台形形状をしている。また図示されていないが、係合部１９ａはケース１９ｃから突出する方向にバネで付勢されている。ケース１９ｃは、直方体形状で、中は空洞になっており係合部１９ａと係合部１９ａを弾性で付勢するバネとを収納する。ロック解除レバー１９ｂは中央部に摘みが設けられた平板形状で、ケース１９ｃの前面（図４における下面）にスライド自在に取付けられており、蓋体６前面の窓孔６ｂから突出している。このロック解除レバーを内側にスライドさせることにより、係合部１９ａがケース１９ｃに収納される。
【００２２】
蓋体６を本体１に取付けるには、まず蓋体６を本体１の前面に押し当てると、係合部１９ａの傾斜面と蓋体取付部１４が接触し、傾斜面が押されることで係合部１９ａが収納部１９ｃに引っ込む。係合部１９ａが取付孔１４ａの位置に来ると、図４に示すように、バネの弾性によって係合部１９ａが取付孔１４ａに挿通されて係合し、蓋体６を本体１の前面に固定することができる。蓋体６を取外すには、ロック解除レバー１９ｃをそれぞれ内側にスライドさせ、係合部１９ａを収納部１９ｃに引っ込め、取付孔１４ａから外すことで行う。
【００２３】
側板７ａと７ｂはそれぞれ異なる材質で構成されている。側板７ａは、ラック内の電子機器１５の電源表示ランプ等の様子を外側から見えるようにするために透明若しくは半透明のアクリル樹脂で平板形状に構成されている。ここでアクリル樹脂は金属と比べて強度が弱く、また温度変化に対しても弱いためにアクリル樹脂製の側板７ａが反ることがある。そこで図４に示すように、蓋体６はその両側面において、両側から背面側へ折曲されて蓋体６の前面と並行な内在片６ｃを備えており、内在片６ｃが側板７ａの側面に当接され、この内在片６ｃと支柱５の側面で側板７ａを挟むことによって側板７ａを支持している。これにより、アクリル樹脂のように金属と比べて反りやすい素材でできた側板７ａを反り難くしている。
【００２４】
側板７ｂは平板形状の金属板で構成されており、図６に示すように、上方及び下方に通気孔１６ａ、１６ｂがそれぞれ幅方向にわたって設けられている。これら通気孔１６ａ、１６ｂは縦長のスリットと横長のスリットを段々に組み合わせることで構成され、隣接するスリット間の幅の狭い部分は容易に切り取ることができるため、これらを数箇所切り取ることで電子機器１５の電源用ケーブル等を通すケーブル挿通孔１７を容易に設けることができ、かつケーブルの太さや本数に合わせてケーブル挿通孔１７の大きさを自由に選択することができる。
【００２５】
ここで本実施形態のラックの組立方法を説明する。先ず電子機器１５を取付部材１２に取付ける。この時、側板７ｂの通気孔１６ｂを電子機器１５のケーブルの太さや本数に合わせて切り取ることで、ケーブル挿通孔１７を設けておく。次に上板部２及び下板部３にそれぞれ設けられた溝１８に、側板７ａ、７ｂの上端と下端を本体１の前方からそれぞれ嵌め、スライドさせることで側板７ａ、７ｂを嵌合する。最後に蓋体６を本体１の前方から押し当て、ロック機構部１９に備えられた係合部１９ａを支柱５に設けられた蓋体取付部１４の取付孔１４ａにそれぞれ係合させて、蓋体６を本体１の前面に取付けることで完成する。本実施形態の斜視図を図２に示す。このように本実施形態のラックは容易に組立可能であり、側板７ａ、７ｂを本体１の前方から溝１８にスライドさせて嵌合するので、本体１の両側面側のスペースが狭い場所においても容易に組立作業を行える。
【００２６】
ところで、蓋体６を取付ける際、内在片６ｃにおいて、図５に示すように、内在片６ｃの先端部を先端に向かって蓋体６の前面に近付く方向に傾斜させるとよい。この場合、蓋体６を本体１の前面に押し当てて取付ける際に、側板７ａ、７ｂの蓋体６と対向する端面が内在片６ｃの傾斜面に沿って内在片６ｃと支柱５の側面との間に案内されるため、蓋体６を容易に取付けることができる。また側板７ａ、７ｂが反っていても内在片６ｃの傾斜に沿って側板７ａ、７ｂを蓋体６に容易に嵌合できるため望ましい。
【図面の簡単な説明】
【００２７】
【図１】本発明の実施形態の分解斜視図である。
【図２】同上の斜視図である。
【図３】同上の溝１８の構成の説明図である。
【図４】同上の内在片６ｃの説明図である。
【図５】同上の内在片６ｃの他の形態の説明図である。
【図６】同上のケーブル挿通孔１７の説明図である。
【図７】従来例の分解斜視図である。
【符号の説明】
【００２８】
１          本体
２          上板部
３          下板部
４          背板部
５          支柱
６          蓋体
７ａ、７ｂ  側板
１８        溝
【図１】
2006303390.tif 000003
【図２】
2006303390.tif 000004
【図３】
2006303390.tif 000005
【図４】
2006303390.tif 000006
【図５】
2006303390.tif 000007
【図６】
2006303390.tif 000008
【図７】
2006303390.tif 000009